【手続補正書】
【提出日】平成18年7月25日(2006.7.25)
【手続補正１】
【補正対象書類名】明細書
【補正対象項目名】特許請求の範囲
【補正方法】変更
【補正の内容】
【特許請求の範囲】
【請求項１】
化合物１−６１及び６３−１３５及びその塩からなる群より選択される化合物。
【請求項２】
（Ａ）活性剤；及び
（Ｂ）化合物１−６１及び６３−１３５、その塩、及びこれらの混合物からなる群より選択される化合物；
を含む組成物。
【請求項３】
前記活性剤が、生物学的活性剤、化学的活性剤、及びこれらの組み合わせからなる群より選択される、請求項２に記載の組成物。
【請求項４】
前記生物学的活性剤が、少なくとも一のタンパク質、ポリペプチド、ペプチド、ホルモン、多糖類、ムコ多糖類、炭水化物、または脂質を含む、請求項３に記載の組成物。
【請求項５】
前記生物学的活性剤が、成長ホルモン、ヒト成長ホルモン（ｈＧＨ）、組換えヒト成長ホルモン（ｒｈＧＨ）、ウシ成長ホルモン、ブタ成長ホルモン、成長ホルモン放出ホルモン、インターフェロン、α-インターフェロン、β-インターフェロン、γ-インターフェロン、インターロイキン-１、インターロイキン-２、インスリン、ブタインスリン、ウシインスリン、ヒトインスリン、及びヒト組換えインスリン、インスリン様増殖因子（ＩＧＦ）、ＩＧＦ-ｌ、ヘパリン、未分画ヘパリン、ヘパリノイド、デルマタン、コンドロイチン、低分子量ヘパリン、極低分子量ヘパリン、超低分子量ヘパリン、カルシトニン、サケカルシトニン、ウナギカルシトニン、ヒトカルシトニン；エリトロポエチン（ＥＰＯ）、心房性ナトリウム利尿因子（atrial naturetic factor）、抗原、モノクローナル抗体、ソマトスタチン、プロテアーゼインヒビター、アドレノコルチコトロピン、ゴナドトロピン放出ホルモン、オキシトシン、黄体形成ホルモン放出ホルモン、卵胞刺激ホルモン、グルコセレブロシダーゼ、トロンボポエチン（thrombopoietin）、フィルグラスチム（filgrastim）、プロスタグランジン、シクロスポリン、バソプレシン、クロモリンナトリウム、クロモグリカートナトリウム、クロモグリカート二ナトリウム、バンコマイシン、デフェロキサミン（ＤＦＯ）、パラチロイドホルモン（ＰＴＨ）、ＰＴＨのフラグメント、抗菌剤、抗真菌剤；これらの化合物の類似物、フラグメント、擬剤（mimetics）及びポリエチレングリコール（ＰＥＧ）変性誘導体；及びこれらのあらゆる組み合わせからなる群より選択される、請求項３に記載の組成物。
【請求項６】
前記生物学的活性剤が、インスリン、未分画ヘパリン、低分子量ヘパリン、極低分子量ヘパリン、超低分子量ヘパリン、カルシトニン、パラチロイドホルモン、エリトロポエチン、ヒト成長ホルモン、及びこれらのあらゆる組み合わせからなる群より選択される、請求項３に記載の組成物。
【請求項７】
（Ａ）請求項２に記載の組成物；及び
（Ｂ）（ａ）賦形剤、
（ｂ）希釈剤、
（ｃ）崩壊剤、
（ｄ）潤滑剤、
（ｅ）可塑剤、
（ｆ）着色剤、
（ｇ）投薬媒体、または
（ｈ）これらのあらゆる組み合わせ；
を含む投薬ユニット形態。
【請求項８】
前記活性剤が、生物学的活性剤、化学的活性剤、及びこれらの組み合わせからなる群より選択される、請求項７に記載の投薬ユニット形態。
【請求項９】
前記生物学的活性剤が、少なくとも一のタンパク質、ポリペプチド、ペプチド、ホルモン、多糖類、ムコ多糖類、炭水化物、または脂質を含む、請求項８に記載の投薬ユニット形態。
【請求項１０】
前記生物学的活性剤が、成長ホルモン、ヒト成長ホルモン（ｈＧＨ）、組換えヒト成長ホルモン（ｒｈＧＨ）、ウシ成長ホルモン、ブタ成長ホルモン、成長ホルモン放出ホルモン、インターフェロン、α-インターフェロン、β-インターフェロン、γ-インターフェロン、インターロイキン-１、インターロイキン-２、インスリン、ブタインスリン、ウシインスリン、ヒトインスリン、及びヒト組換えインスリン、インスリン様増殖因子（ＩＧＦ）、ＩＧＦ-ｌ、ヘパリン、未分画ヘパリン、ヘパリノイド、デルマタン、コンドロイチン、低分子量ヘパリン、極低分子量ヘパリン、超低分子量ヘパリン、カルシトニン、サケカルシトニン、ウナギカルシトニン、ヒトカルシトニン；エリトロポエチン（ＥＰＯ）、心房性ナトリウム利尿因子、抗原、モノクローナル抗体、ソマトスタチン、プロテアーゼインヒビター、アドレノコルチコトロピン、ゴナドトロピン放出ホルモン、オキシトシン、黄体形成ホルモン放出ホルモン、卵胞刺激ホルモン、グルコセレブロシダーゼ、トロンボポエチン、フィルグラスチム、プロスタグランジン、シクロスポリン、バソプレシン、クロモリンナトリウム、クロモグリカートナトリウム、クロモグリカート二ナトリウム、バンコマイシン、デフェロキサミン（ＤＦＯ）、パラチロイドホルモン（ＰＴＨ）、ＰＴＨのフラグメント、抗菌剤、抗真菌剤；これらの化合物の類似物、フラグメント、擬剤及びポリエチレングリコール（ＰＥＧ）変性誘導体；及びこれらのあらゆる組み合わせからなる群より選択される、請求項８に記載の投薬ユニット形態。
【請求項１１】
前記生物学的活性剤が、インスリン、未分画ヘパリン、低分子量ヘパリン、極低分子量ヘパリン、超低分子量ヘパリン、カルシトニン、パラチロイドホルモン、エリトロポエチン、ヒト成長ホルモン、またはこれらの組み合わせを含む、請求項８に記載の投薬ユニット形態。
【請求項１２】
投薬ユニット形態が、錠剤、カプセル、粉末、または液体を含む投薬媒体を含む、請求項７に記載の投薬ユニット形態。
【請求項１３】
前記投薬媒体が、水、１，２-プロパンジオール、エタノール、及びこれらのあらゆる組み合わせからなる群より選択される液体である、請求項７に記載の投薬ユニット形態。
【請求項１４】  活性剤を、前記活性剤を必要とする動物に投与する方法であって、前記動物への請求項２に記載の組成物の経口投与を含む方法。
【請求項１５】
（Ａ）少なくとも一の活性剤；
（Ｂ）請求項１の化合物；及び
（Ｃ）任意に投薬媒体；
を混合することを含む、組成物の調製方法。
【請求項１６】
化合物１０５及びその塩を含む化合物。
【請求項１７】
（Ａ）活性剤；及び
（Ｃ）請求項１６に記載の化合物；
を含む組成物。
【請求項１８】
化合物５４及びその塩を含む化合物。
【請求項１９】
化合物１１６及びその塩を含む化合物。
【請求項２０】
（Ａ）活性剤；及び
（Ｂ）請求項１８または１９の化合物；
を含む組成物。
【請求項２１】
（Ａ）請求項１７または２０に記載の組成物；及び
（Ｂ）（ａ）賦形剤、
（ｂ）希釈剤、
（ｃ）崩壊剤、
（ｄ）潤滑剤、
（ｅ）可塑剤、
（ｆ）着色剤、
（ｇ）投薬媒体、または
（ｈ）これらのあらゆる組み合わせ；
を含む投薬ユニット形態。
【請求項２２】
前記活性剤が、パラチロイドホルモンである、請求項３、１７、または２０に記載の組成物、あるいは請求項２１に記載の投薬ユニット形態。
【請求項２３】
前記活性剤が、ヘパリンである、請求項３、１７、または２０に記載の組成物、あるいは請求項２１に記載の投薬ユニット形態。
【請求項２４】
前記活性剤が、成長ホルモンである、請求項３、１７、または２０に記載の組成物、あるいは請求項２１に記載の投薬ユニット形態。
【請求項２５】
前記活性剤が、カルシトニンである、請求項３、１７、または２０に記載の組成物、あるいは請求項２１に記載の投薬ユニット形態。
【請求項２６】
前記活性剤が、生物学的活性剤、化学的活性剤、及びこれらの組み合わせからなる群より選択される、請求項３、１７、または２０に記載の組成物、あるいは請求項２１に記載の投薬ユニット形態。
【請求項２７】
前記生物学的活性剤が、少なくとも一のタンパク質、ポリペプチド、ペプチド、ホルモン、多糖類、ムコ多糖類、炭水化物、または脂質を含む、請求項３、１７、または２０に記載の組成物、あるいは請求項２１に記載の投薬ユニット形態。
【請求項２８】
前記生物学的活性剤が、成長ホルモン、ヒト成長ホルモン（ｈＧＨ）、組換えヒト成長ホルモン（ｒｈＧＨ）、ウシ成長ホルモン、ブタ成長ホルモン、成長ホルモン放出ホルモン、インターフェロン、α-インターフェロン、β-インターフェロン、γ-インターフェロン、インターロイキン-１、インターロイキン-２、インスリン、ブタインスリン、ウシインスリン、ヒトインスリン、及びヒト組換えインスリン、インスリン様増殖因子（ＩＧＦ）、ＩＧＦ-ｌ、ヘパリン、未分画ヘパリン、ヘパリノイド、デルマタン、コンドロイチン、低分子量ヘパリン、極低分子量ヘパリン、超低分子量ヘパリン、カルシトニン、サケカルシトニン、ウナギカルシトニン、ヒトカルシトニン；エリトロポエチン（ＥＰＯ）、心房性ナトリウム利尿因子（atrial naturetic factor）、抗原、モノクローナル抗体、ソマトスタチン、プロテアーゼインヒビター、アドレノコルチコトロピン、ゴナドトロピン放出ホルモン、オキシトシン、黄体形成ホルモン放出ホルモン、卵胞刺激ホルモン、グルコセレブロシダーゼ、トロンボポエチン（thrombopoietin）、フィルグラスチム（filgrastim）、プロスタグランジン、シクロスポリン、バソプレシン、クロモリンナトリウム、クロモグリカートナトリウム、クロモグリカート二ナトリウム、バンコマイシン、デフェロキサミン（ＤＦＯ）、パラチロイドホルモン（ＰＴＨ）、ＰＴＨのフラグメント、抗菌剤、抗真菌剤；これらの化合物の類似物、フラグメント、擬剤（mimetics）及びポリエチレングリコール（ＰＥＧ）変性誘導体；及びこれらのあらゆる組み合わせからなる群より選択される、請求項３、１７、または２０に記載の組成物、あるいは請求項２１に記載の投薬ユニット形態。
【請求項２９】
前記生物学的活性剤が、インスリン、未分画ヘパリン、低分子量ヘパリン、極低分子量ヘパリン、超低分子量ヘパリン、カルシトニン、パラチロイドホルモン、エリトロポエチン、ヒト成長ホルモン、及びこれらのあらゆる組み合わせからなる群より選択される、請求項３、１７、または２０に記載の組成物、あるいは請求項２１に記載の投薬ユニット形態。
【請求項３０】
活性剤を、前記活性剤を必要とする動物に投与する方法であって、前記動物への請求項１７または２０に記載の組成物の経口投与を含む方法。
【請求項３１】
（Ａ）少なくとも一の活性剤；
（Ｂ）請求項１６、１８、または１９の化合物；
を混合することを含む、組成物の調製方法。